(57)【要約】【課題】防水性能を向上可能な血圧測定装置を提供すること。【解決手段】血圧測定装置１は、ケース１１と、ケース１１に接続され、流体により膨張するカフ構造体６と、生体の装着する部位の周方向に倣って湾曲するとともに、一端と他端とが離間して形成され、カフ構造体６が設けられるカーラ５と、ケース１１、及びカフ構造体６の少なくとも１つにより構成され、ケース１１の内外を連通し、空気が流動可能な流路と、流路の内面、並びに、流路を構成する、ケース１１、及びカフ構造体６の少なくとも１つの外面の流路に連続する部分の少なくとも一方に設けられる撥水部９と、を備える。【選択図】      図５
2020092886.tif 000002
【特許請求の範囲】
【請求項１】
ケースと、
前記ケースに接続され、流体により膨張するカフ構造体と、
前記ケース、及び前記カフ構造体の少なくとも１つにより構成され、前記ケースの内外を連通し、空気が流動可能な流路と、
前記流路の内面と、前記流路を構成する、前記ケース及び前記カフ構造体の少なくとも１つの外面の前記流路に連続する部分と、の少なくとも一方に設けられる撥水部と、
を具備する血圧測定装置。
【請求項２】
前記ケースは、筒状の外郭ケースを具備し、
前記流路は、前記外郭ケースの内周面に配置される第１開口端、及び前記外郭ケースの外周に配置されるとともに、前記第１開口端に対して前記外郭ケースの軸方向で生体側に配置される第２開口端を有する通気孔である
請求項１に記載の血圧測定装置。
【請求項３】
前記ケース内に収容され、前記ケース内の空気を圧縮して前記カフ構造体に供給するポンプを具備する、請求項１に記載の血圧測定装置。
【請求項４】
前記第１開口端に設けられ、空気が通過し、かつ水の通過を規制する透湿防水フィルタを具備する、請求項２に記載の血圧測定装置。
【請求項５】
前記流路を構成する、前記ケース、及び前記カフ構造体の少なくとも１つの外面に設けられる前記撥水部の周囲に設けられる親水部を具備する、請求項１に記載の血圧測定装置。
【請求項６】
生体の装着する部位の周方向に倣って湾曲するとともに、一端と他端とが離間して形成され、前記カフ構造体が設けられるカーラを具備し、
前記流路は、前記ケース、前記カフ構造体、及び前記カーラの少なくとも１つにより構成され、
前記撥水部は、前記流路の内面と、前記流路を構成する、前記ケース、前記カフ構造体、及び前記カーラの少なくとも１つの外面の前記流路に連続する部分と、の少なくとも一方に設けられる
請求項１に記載の血圧測定装置。
【請求項７】
前記流路を構成する、前記ケース、前記カフ構造体、及び前記カーラの少なくとも１つの外面に設けられる前記撥水部の周囲に設けられる親水部を具備する、請求項６に記載の血圧測定装置。
【発明の詳細な説明】
【技術分野】
【０００１】
本発明は、血圧を測定する血圧測定装置に関する。
【背景技術】
【０００２】
近年、血圧の測定に用いる血圧測定装置は、医療設備においてのみならず、家庭内においても、健康状態を確認する手段として利用されている。血圧測定装置は、例えば、生体の上腕又は手首等に巻き付けたカフを膨張及び収縮させ、圧力センサによりカフの圧力を検出することで、動脈壁の振動を検出して血圧を測定する。
【０００３】
このような血圧測定装置として、例えば、カフとカフに流体を供給する装置本体とが一体に構成された所謂一体型と呼ばれるものが知られている（例えば、特許文献１参照。）。
【０００４】
このような血圧測定装置では、装置本体のケース内にポンプが収容される。さらに、ポンプの吸い込み口がケース内に開口する構成である場合、ケースに、ケース外の空気をケース内に取り入れる為の通気孔が形成される。ポンプは、ケース内の空気を吸い込んで圧縮して、カフに供給する。ポンプがケース内の空気を吸い込むことでケース内が負圧となると、ケース外の空気が通気孔を通ってケース内に供給される。
【先行技術文献】
【特許文献】
【０００５】
【特許文献１】特開２０１８−１０２７４３号公報
【発明の概要】
【発明が解決しようとする課題】
【０００６】
上述した血圧測定装置では、昨今、手首に装着するウェアラブルデバイスも考えられている。ウェアラブルデバイスとして構成された血圧測定装置は、使用者の汗が血圧測定装置に付着しやすくなる。さらに、使用者は、血圧測定装置を装着した状態で水に触れる機会が多くなることが想定される。
【０００７】
使用者の汗や、外部の水が血圧測定装置に触れると、汗や水が通気孔を通ってケース内に浸入する虞がある。また、ケースが複数の材料を組み合わせることで構成される場合では、部材間の隙間を通して、毛細管現象により、汗や水がケース内に浸入する虞がある。
【０００８】
そこで本発明は、防水性能を向上可能な血圧測定装置を提供することを目的とする。
【課題を解決するための手段】
【０００９】
一態様によれば、ケースと、前記ケースに接続され、流体により膨張するカフ構造体と、生体の装着する部位の周方向に倣って湾曲するとともに、前記ケース、及び前記カフ構造体の少なくとも１つにより構成され、前記ケースの内外を連通し、空気が流動可能な流路と、前記流路の内面、並びに、前記流路を構成する、前記ケース、及び前記カフ構造体の少なくとも１つの外周面の前記流路に連続する部分の少なくとも一方に設けられる撥水部と、を備える、血圧測定装置が提供される。
【００１０】
ここで、流体とは、液体及び空気を含む。カフとは、血圧を測定するときに生体の上腕や手首等に巻き付けられ、流体が供給されることで膨張するものであり、空気袋等の袋状構造体を含む。
【００１１】
撥水部は、撥水処理を施すことにより、構成される。撥水処理とは、撥水処理が施される前に比較して、水の接触角度を大きくする処理である。撥水処理は、好ましくは、水の接触角度を、９０度以上にする処理である。撥水処理の一例として、フッ素処理が施される。フッ素処理は、例えば、フッ素樹脂を含む処理液を、刷毛や綿棒を用いて塗布されることにより、施される。処理液が乾燥することで、フッ素樹脂を含む被膜が形成される。この被膜が、撥水部となる。または、撥水部は、流路を構成する部材を、所望の撥水性を有する材料で形成することで構成されてもよい。または、撥水部は、流路構成する部材の、流路を構成する部分のみ、所望の撥水性を有する形成することで、構成されてもよい。
【００１２】
この態様によれば、流路の内面に設けられる撥水部により生じる、流路に浸入しようとする水を流路外に押す作用により、ケース外より流路内への水の浸入が抑制される。また、流路を構成する部材の外面の、流路に連続する部分に設けられる撥水部により、当該部分に水が付着することを抑制される。これらのいずれかの作用により、流路内に水が浸入することが抑制されるので、ケース内に水が浸入することが抑制される。結果、血圧測定装置の防水性が向上する。
【００１３】
上記一態様の血圧測定装置において、前記ケースは、筒状の外郭ケースを具備し、前記流路は、前記外郭ケースの内周面に配置される第１開口端、及び前記外郭ケースの外周に配置されるとともに、前記第１開口端に対して前記外郭ケースの軸方向で生体側に配置される第２開口端を有する通気孔である、血圧測定装置が提供される。
【００１４】
この態様によれば、血圧測定装置を、外郭ケースの軸方向が重力方向と平行となる姿勢にすることで、第２開口端が第１開口端に対して重力方向で下方に配置されるので、通気孔内に浸入した水を、重力を利用して通気孔外へ移動することも可能となる。結果、血圧測定装置の防水性が向上する。
【００１５】
上記一態様の血圧測定装置において、前記ケース内に収容され、前記ケース内の空気を圧縮して前記カフ構造体に供給するポンプを備える、血圧測定装置が提供される。
【００１６】
この態様によれば、ポンプがケース内の空気を吸い込むことでケース内が負圧となると、流路を通して、ケース外からケース内へ空気が流れるが、流路に撥水部が設けられることで、流路内に水が浸入することが抑制されるので、血圧測定装置の防水性が向上可能となる。
【００１７】
上記一態様の血圧測定装置において、前記第１開口端に設けられ、空気が通過し、かつ水の通過を規制する透湿防水フィルタを備える、血圧測定装置が提供される。
【００１８】
この態様によれば、通気孔内に万が一水が浸入しても、透湿防水フィルタによりケース内への水の浸入を抑制できるので、血圧測定装置の防水性を向上できる。
【００１９】
上記一態様の血圧測定装置において、前記流路を構成する、前記ケース、及び前記カフ構造体の少なくとも１つの外面に設けられる前記撥水部の周囲に設けられる親水部を備える、血圧測定装置が提供される。
【００２０】
この態様によれば、流路に向かって移動する水を親水部にとどめること、及び、撥水部から移動された水を親水部にとどめることが可能となる。この為、流路に水が浸入することを抑制できるので、血圧測定装置の防水性を向上可能となる。
上記一態様の血圧測定装置において、生体の装着する部位の周方向に倣って湾曲するとともに、一端と他端とが離間して形成され、前記カフ構造体が設けられるカーラを具備し、前記流路は、前記ケース、前記カフ構造体、及び前記カーラの少なくとも１つにより構成され、前記撥水部は、前記流路の内面と、前記流路を構成する、前記ケース、前記カフ構造体、及び前記カーラの少なくとも１つの外面の前記流路に連続する部分と、の少なくとも一方に設けられる、血圧測定装置が提供される。
この態様によれば、カーラを備える構成の血圧測定装置において、流路の内面に設けられる撥水部により生じる、流路に浸入しようとする水を流路外に押す作用により、ケース外より流路内への水の浸入が抑制される。また、流路を構成する部材の外面の、流路に連続する部分に設けられる撥水部により、当該部分に水が付着することを抑制される。これらのいずれかの作用により、流路内に水が浸入することが抑制されるので、ケース内に水が浸入することが抑制される。結果、血圧測定装置の防水性が向上する。
上記一態様の血圧測定装置において、前記流路を構成する、前記ケース、前記カフ構造体、及び前記カーラの少なくとも１つの外面に設けられる前記撥水部の周囲に設けられる親水部を備える、血圧測定装置が提供される。
この態様によれば、カーラを備える構成の血圧測定装置において、流路に向かって移動する水を親水部にとどめること、及び、撥水部から移動された水を親水部にとどめることが可能となる。この為、流路に水が浸入することを抑制できるので、血圧測定装置の防水性を向上可能となる。
【発明の効果】
【００２１】
本発明は、防水性能を向上可能な血圧測定装置を提供することができる。
【図面の簡単な説明】
【００２２】
【図１】本発明の第１の実施形態に係る血圧測定装置の構成を示す斜視図。
【図２】同血圧測定装置の構成を分解して示す斜視図。
【図３】同血圧測定装置の構成を示す斜視図。
【図４】同血圧測定装置の外郭ケースの構成を示す斜視図。
【図５】同外郭ケースの構成を示す断面図。
【図６】同血圧測定装置を手首に装着した状態を示す説明図。
【図７】同血圧測定装置の構成を示すブロック図。
【図８】同血圧測定装置のカーラ及びカフ構造体の構成を分解して示す斜視図。
【図９】同血圧測定装置のカーラ及びカフ構造体の構成を示す断面図。
【図１０】同血圧測定装置のカーラ及びカフ構造体の構成を示す断面図。
【図１１】同血圧測定装置の甲カフの構成を示す断面図
【図１２】同血圧測定装置の甲カフの構成を示す断面図
【図１３】同血圧測定装置のカーラの構成を示す斜視図。
【図１４】同血圧測定装置のカフ構造体の構成を示す平面図。
【図１５】同カフ構造体の構成を示す平面図。
【図１６】同血圧測定装置の平カフの構成を示す平面図。
【図１７】同平カフの構成を示す断面図。
【図１８】同血圧測定装置のセンシングカフの構成を示す平面図。
【図１９】同血圧測定装置のセンシングカフの構成を示す断面図。
【図２０】同血圧測定装置のカーラ及びカフ構造体の構成を概略的に示す断面図。
【図２１】同血圧測定装置の給電部の構成を概略的に示す断面図。
【図２２】同血圧測定装置の使用の一例を示す流れ図。
【図２３】同血圧測定装置を手首に装着する一例を示す斜視図。
【図２４】同血圧測定装置を手首に装着する一例を示す斜視図。
【図２５】同血圧測定装置を手首に装着する一例を示す斜視図。
【図２６】同血圧測定装置が生体に取り付けられた状態を模式的に示す断面図
【図２７】同血圧測定装置の外郭ケースの別の構成を示す断面図。
【発明を実施するための形態】
【００２３】
［第１の実施形態］
以下、本発明の第１の実施形態に係る血圧測定装置１の一例について、図１乃至図２５を用いて以下例示する。
【００２４】
図１は、本発明の第１の実施形態に係る血圧測定装置１の構成を示す斜視図である。図２は、血圧測定装置１の構成を分解して示す斜視図である。図３は、血圧測定装置１の構成を示す斜視図である。図４は、血圧測定装置１の外郭ケース３１の構成を示す斜視図である。図５は、外郭ケース３１の構成を示す断面図である。図６は、血圧測定装置１を手首２００に装着した状態を示す説明図である。
図７は、血圧測定装置１の構成を示すブロック図である。図８は、血圧測定装置１のカーラ５及びカフ構造体６の構成を示す分解して示す斜視図である。図９は、血圧測定装置１のカーラ５及びカフ構造体６の構成を示す断面図である。図１０は、血圧測定装置１のカーラ５及びカフ構造体６の構成を示す断面図である。図１１は、血圧測定装置１の甲カフ７４の構成を示す断面図である。図１２は、血圧測定装置１の甲カフ７４の構成を示す断面図である。図１３は、血圧測定装置１のカーラ５の構成を示す斜視図である。図１４は、血圧測定装置１のカフ構造体６の生体側の構成示す平面図である。図１５は、カフ構造体６をカーラ５の内周面側から見た状態を示す平面図である。図１６は、血圧測定装置１の平カフ７１の構成を示す平面図である。図１７は、平カフ７１の構成を図１６中ＸＶＩＩ−ＸＶＩＩ線断面で示す断面図である。図１８は、血圧測定装置１のセンシングカフ７３の構成を示す平面図である。図１９は、血圧測定装置１のセンシングカフ７３の構成を図１８中ＸＩＸ−ＸＩＸ線断面で示す断面図である。図２０は、血圧測定装置１のカーラ５及びカフ構造体６の構成を概略的に示す断面図である。図２１は、同血圧測定装置の電力供給部１８の構成を概略的に示す断面図である。
【００２５】
血圧測定装置１は、生体に装着する電子血圧測定装置である。本実施形態においては、生体の手首２００に装着するウェアラブルデバイスの態様をもつ電子血圧測定装置を用いて説明する。
【００２６】
図１乃至図３、及び図７に示すように、血圧測定装置１は、装置本体３と、手首に装置本体３を固定するベルト４と、ベルト４及び手首の間に配置されるカーラ５と、平カフ７１、センシングカフ７３及び甲カフ７４を有するカフ構造体６と、装置本体３及びカフ構造体６を流体的に接続する流体回路７と、を備えている。さらに、血圧測定装置１は、図４、図５、図２０及び図２１に示すように、給電部８と、撥水部９と、を備えている。
【００２７】
図１乃至図７に示すように、装置本体３は、例えば、ケース１１と、表示部１２と、操作部１３と、ポンプ１４と、流路部１５と、開閉弁１６と、圧力センサ１７と、電力供給部１８と、振動モータ１９と、制御基板２０と、を備えている。装置本体３は、ポンプ１４、開閉弁１６、圧力センサ１７及び制御基板２０等によって、カフ構造体６に流体を供給する。
【００２８】
図１乃至図３に示すように、ケース１１は、外郭ケース３１と、外郭ケース３１の上部開口を覆う風防３２と、外郭ケース３１の内部の下方に設けられた基部３３と、外郭ケース３１の下方を覆う裏カバー３５と、透湿防水フィルタ３６と、を備えている。
【００２９】
外郭ケース３１は、円筒状に形成される。外郭ケース３１は、外周面の周方向で対称位置にそれぞれ設けられた一対のラグ３１ａと、２つの一対のラグ３１ａ間にそれぞれ設けられるバネ棒３１ｂと、を備えている。また、図４及び図５に示すように、外郭ケース３１の外周面の一対のラグ３１ａの間の、裏カバー３５側の端部は、面取りがされており、外郭ケース３１の中心線に対して傾斜する面に構成される。外周面３１ｆの、この面取りされた部分を、面取り部３１ｈとする。
【００３０】
図４に示すように、外郭ケース３１の、２つの一対のラグ３１ａ間のそれぞれに、孔３１ｃが形成される。孔３１ｃは、外郭ケース３１を厚み方向に貫通する。孔３１ｃは、一対のラグ３１ａ間に、例えば複数、具体例として２つ形成される。これら２つの孔３１ｃは、外郭ケース３１の周方向に並んで配置される。
【００３１】
図５に示すように、孔３１ｃは、外郭ケース３１の内側から外側へ向かって裏カバー３５側に直線状に延びる形状に構成される。孔３１ｃは、外郭ケース３１の内面に配置される第１開口端３１ｄと、外郭ケース３１の外面に配置される第２開口端３１ｅと、を有する。
【００３２】
第１開口端３１ｄは、第２開口端３１ｅに対して、外郭ケース３１の軸方向で、風防３２側に位置する。第２開口端３１ｅは、外郭ケース３１の、裏カバー３５側の面取りされた面取り部３１ｈに配置される。孔３１ｃは、当該孔３１ｃの延びる方向が、例えば外郭ケース３１の中心線に対して傾斜する形状に構成される。孔３１ｃの延びる方向は、外郭ケース３１の中心線に対して、例えば、４５度傾斜する方向に設定される。
風防３２は、例えば、円形状のガラス板である。
【００３３】
基部３３は、表示部１２、操作部１３、ポンプ１４、開閉弁１６、圧力センサ１７、電力供給部１８、振動モータ１９及び制御基板２０を保持する。また、基部３３は、例えば、ポンプ１４及びカフ構造体６を流体的に連続する流路部１５の一部を構成する。
【００３４】
裏カバー３５は、中央側が開口する環状に構成される。裏カバー３５は、外郭ケース３１の生体側の端部の外周縁側を覆う。このような裏カバー３５は、カーラ５と一体に組み合わされることで、中央の開口がカーラ５により覆われ、そしてカーラ５とともに外郭ケース３１の生体側の端部を覆う裏蓋を構成する。裏カバー３５は、例えば４つのビス３５ａ等によって外郭ケース３１又は基部３３の生体側の端部に固定される。
透湿防水フィルタ３６は、図５に示すように、孔３１ｃの第１開口端３１ｄに設けられる。透湿防水フィルタ３６は、第１開口端３１ｄを覆う。透湿防水フィルタ３６は、空気を通して、水の通過を規制する機能を有するフィルタである。ここで言う規制とは、水の通過量を小さく制限することである。または、透湿防水フィルタ３６は、水の通過を防止する性能を有することが好ましい。
【００３５】
表示部１２は、外郭ケース３１の基部３３上であって、且つ、風防３２の直下に配置される。図７に示すように、表示部１２は、電気的に制御基板２０に接続される。表示部１２は、例えば、液晶ディスプレイ又は有機エレクトロルミネッセンスディスプレイである。表示部１２は、日時や最高血圧及び最低血圧などの血圧値や心拍数等の測定結果を含む各種情報を表示する。
【００３６】
操作部１３は、使用者からの指令を入力可能に構成される。例えば、操作部１３は、図７に示すように、ケース１１に設けられた複数の釦４１と、釦４１の操作を検出するセンサ４２と、表示部１２又は風防３２に設けられたタッチパネル４３と、を備える。操作部１３は、使用者が操作することで、指令を電気信号に変換する。センサ４２及びタッチパネル４３は、電気的に制御基板２０に接続され、電気信号を制御基板２０へ出力する。
【００３７】
複数の釦４１は、例えば３つ設けられる。釦４１は、基部３３に支持されるとともに、外郭ケース３１の外周面から突出する。複数の釦４１及び複数のセンサ４２は、基部３３に支持される。タッチパネル４３は、例えば、風防３２に一体に設けられる。
【００３８】
ポンプ１４は、例えば圧電ポンプである。ポンプ１４は、空気を圧縮し、流路部１５を介して圧縮空気をカフ構造体６に供給する。ポンプ１４は、電気的に制御基板２０に接続される。
【００３９】
流路部１５は、図７に示すように、ポンプ１４から平カフ７１及び甲カフ７４へつながる流路、及び、ポンプ１４からセンシングカフ７３へつながる流路を構成する。また、流路部１５は、平カフ７１及び甲カフ７４から大気へつながる流路、及び、センシングカフ７３から大気へつながる流路を構成する。流路部１５は、基部３３等に設けられた中空部、溝及びチューブ等により構成された空気の流路である。
【００４０】
開閉弁１６は、流路部１５の一部を開閉する。開閉弁１６は、例えば、図７に示すように、複数設けられ、各開閉弁１６の開閉の組み合わせによりポンプ１４から平カフ７１及び甲カフ７４へつながる流路、ポンプ１４からセンシングカフ７３へつながる流路、平カフ７１及び甲カフ７４から大気へつながる流路、及び、センシングカフ７３から大気へつながる流路を選択的に開閉する。例えば、開閉弁１６は、２つ用いられる。
【００４１】
圧力センサ１７は、平カフ７１、センシングカフ７３及び甲カフ７４の圧力を検出する。圧力センサ１７は、電気的に制御基板２０に接続される。圧力センサ１７は、検出した圧力を電気信号に変換し、制御基板２０へ出力する。圧力センサ１７は、例えば、図７に示すように、ポンプ１４から平カフ７１及び甲カフ７４へつながる流路、及び、ポンプ１４からセンシングカフ７３へつながる流路に設けられる。これらの流路は平カフ７１、センシングカフ７３及び甲カフ７４と連続することから、これら流路内の圧力が平カフ７１、センシングカフ７３及び甲カフ７４の内部空間の圧力となる。
【００４２】
電力供給部１８は、例えば、リチウムイオンバッテリ等の二次電池である。電力供給部１８は、図７に示すように、制御基板２０に電気的に接続される。電力供給部１８は、制御基板２０に電力を供給する。
【００４３】
図７に示すように、制御基板２０は、例えば、基板５１と、加速度センサ５２と、通信部５３と、記憶部５４と、制御部５５と、を備えている。制御基板２０は、加速度センサ５２、通信部５３、記憶部５４及び制御部５５が基板５１に実装されることで構成される。
【００４４】
基板５１は、ケース１１の基部３３にビス等によって固定される。
【００４５】
加速度センサ５２は、例えば、３軸加速度センサである。加速度センサ５２は、装置本体３の互いに直交する３方向の加速度を表す加速度信号を制御部５５に出力する。例えば、加速度センサ５２は、検出された加速度から血圧測定装置１を装着した生体の活動量を測定するために用いられる。
【００４６】
通信部５３は、外部の装置と無線又は有線によって情報を送受信可能に構成される。通信部５３は、例えば、制御部５５によって制御された情報や測定された血圧値及び脈拍等の情報を、ネットワークを介して外部の装置へ送信し、また、外部の装置からネットワークを介してソフトウェア更新用のプログラム等を受信して制御部に送る。
【００４７】
本実施形態において、ネットワークは、例えばインターネットであるが、これに限定されず、病院内に設けられたＬＡＮ（Ｌｏｃａｌ  Ａｒｅａ  Ｎｅｔｗｏｒｋ）等のネットワークであってもよく、また、ＵＳＢ等の所定の規格の端子を有するケーブルなどを用いた外部の装置との直接的な通信であってもよい。このため、通信部５３は、無線アンテナ及びマイクロＵＳＢコネクタ等の複数を含む構成であってもよい。
【００４８】
記憶部５４は、血圧測定装置１全体及び流体回路７を制御するためのプログラムデータ、血圧測定装置１の各種機能を設定するための設定データ、圧力センサ１７で測定された圧力から血圧値や脈拍を算出するための算出データ等を予め記憶する。また、記憶部５４は、測定された血圧値や脈拍等の情報を記憶する。
【００４９】
制御部５５は、単数又は複数のＣＰＵにより構成され、血圧測定装置１全体の動作、及び、流体回路７の動作を制御する。制御部５５は、表示部１２、操作部１３、ポンプ１４、各開閉弁１６及び各圧力センサ１７に電気的に接続されるとともに、電力を供給する。また、制御部５５は、操作部１３及び圧力センサ１７が出力する電気信号に基づいて、表示部１２、ポンプ１４及び開閉弁１６の動作を制御する。
【００５０】
例えば、制御部５５は、図７に示すように、血圧測定装置１全体の動作を制御するメインＣＰＵ（Ｃｅｎｔｒａｌ  Ｐｒｏｃｅｓｓｉｎｇ  Ｕｎｉｔ）５６及び流体回路７の動作を制御するサブＣＰＵ５７を有する。例えば、メインＣＰＵ５６は、圧力センサ１７が出力する電気信号から、最高血圧及び最低血圧などの血圧値や心拍数などの測定結果を求め、この測定結果に対応した画像信号を表示部１２へ出力する。
【００５１】
例えば、サブＣＰＵ５７は、操作部１３から血圧を測定する指令が入力されると、ポンプ１４及び開閉弁１６を駆動して平カフ７１及びセンシングカフ７３に圧縮空気を送る。また、サブＣＰＵ５７は、圧力センサ１７が出力する電気信号に基づいて、ポンプ１４の駆動及び停止、並びに、開閉弁１６の開閉を制御する。サブＣＰＵ５７は、ポンプ１４及び開閉弁１６を制御することで、圧縮空気を平カフ７１及びセンシングカフ７３に選択的に送るとともに、平カフ７１及びセンシングカフ７３を選択的に減圧する。
【００５２】
図１乃至図６に示すように、ベルト４は、一方の一対のラグ３１ａ及びバネ棒３１ｂに設けられた第１ベルト６１と、他方の一対のラグ３１ａ及びバネ棒３１ｂに設けられた第２ベルト６２と、を備える。ベルト４は、カーラ５を介して手首２００に巻き付けられる。
【００５３】
第１ベルト６１は、所謂親と呼ばれ、第２ベルト６２と連結可能な帯状に構成される。第１ベルト６１は、図１及び図２に示すように、ベルト部６１ａ及び尾錠６１ｂを有する。ベルト部６１ａは、帯状に構成される。ベルト部６１ａは、弾性変形可能な樹脂材料で形成される。また、ベルト部６１ａは、可撓性を有するとともに、ベルト部６１ａの長手方向の伸縮が抑制されるシート状のインサート部材を内部に有する。ベルト部６１ａは、一方の端部に形成され、ベルト部６１ａの長手方向に直交する第１孔部６１ｃ及び他方の端部に形成され、第１ベルト６１の長手方向に直交する第２孔部６１ｄを有する。
【００５４】
図１及び図２に示すように、第１孔部６１ｃは、ベルト部６１ａの端部に設けられる。第１孔部６１ｃは、バネ棒３１ｂを挿入可能、且つ、バネ棒３１ｂに関して第１ベルト６１が回転可能な内径を有する。即ち、第１ベルト６１は、一対のラグ３１ａの間であって、且つ、バネ棒３１ｂに第１孔部６１ｃが配置されることで、外郭ケース３１に回転可能に保持される。
【００５５】
図１及び図２に示すように、第２孔部６１ｄは、ベルト部６１ａの先端に設けられる。第２孔部６１ｄは、尾錠６１ｂが取り付けられる。
【００５６】
図１及び図２に示すように、尾錠６１ｂは、矩形枠状の枠状体６１ｅと、枠状体６１ｅに回転可能に取り付けられたつく棒６１ｆと、を有する。枠状体６１ｅは、つく棒６１ｆが取り付けられた一辺が第２孔部６１ｄに挿入され、ベルト部６１ａに関して回転可能に取り付けられる。
【００５７】
第２ベルト６２は、所謂剣先と呼ばれ、枠状体６１ｅに挿入可能な幅を有する帯状に構成される。第２ベルト６２は、弾性変形可能な樹脂材料で形成される。また、第２ベルト６２は、可撓性を有するとともに、第２ベルト６２の長手方向の伸縮が抑制されるシート状のインサート部材を内部に有する。
【００５８】
また、第２ベルト６２は、図１乃至図３に示すように、つく棒６１ｆが挿入される小孔６２ａを複数有する。また、第２ベルト６２は、一方の端部に設けられ、第２ベルト６２の長手方向に直交する第３孔部６２ｂを有する。第３孔部６２ｂは、バネ棒３１ｂを挿入可能、且つ、バネ棒３１ｂに関して第２ベルト６２が回転可能な内径を有する。即ち、第２ベルト６２は、一対のラグ３１ａの間であって、且つ、バネ棒３１ｂに第３孔部６２ｂが配置されることで、外郭ケース３１に回転可能に保持される。
【００５９】
このようなベルト４は、第２ベルト６２が枠状体６１ｅに挿入され、小孔６２ａにつく棒６１ｆが挿入されることで、第１ベルト６１及び第２ベルト６２が一体に接続され、外郭ケース３１とともに、手首２００の周方向に倣った環状となる。ベルト４は、手首２００の周方向に倣った環状となることで、カーラ５を押圧し、カーラ５を血圧測定装置１の装着者の手首の周方向に倣うように、弾性変形させる。
【００６０】
カーラ５は、図１乃至図６に示すように、手首の周方向に倣って湾曲する帯状に構成される。カーラ５は、一端と他端が離間して形成される。カーラ５は、例えば、一端側の外面が装置本体３の裏カバー３５に固定される。カーラ５は、一端及び他端が裏カバー３５よりも突出した位置に配置される。また、カーラ５は、所定の距離だけ離間して一端及び他端が隣接する。カーラ５は、例えば、樹脂材料で形成される。具体例として、カーラ５は、ポリプロピレンによって厚さが１ｍｍ程度に形成される。
【００６１】
具体例として、図６に示すように、カーラ５は、手首の周方向に倣って湾曲する帯状に構成され、端側の手首２００の手の甲側に対向する位置に、裏カバー３５とともに裏蓋を構成する円板状のカバー部５ａを有する。カーラ５は、例えば、カバー部５ａ及びその隣接する部位が平板状に形成されるとともに、カバー部５ａよりも一端側及び他端側が所定の曲率で湾曲して形成される。
【００６２】
また、図１３に示すように、カーラ５は、一端及び他端が近接したときに、一端側の内周面側に他端が位置する形状に形成される。具体例として、カーラ５の手首２００の幅方向の幅は、カーラの手首２００の手の平側よりもカーラ５の手首２００の手の甲側が大きく設定される。そして、カーラ５は、手首２００の手の甲側の一端の曲率半径が手首２００の手の平側の他端の曲率半径よりも大きく設定される。このような構成により、カーラ５は、カーラ５の両端側が当接すると、一端よりも他端がカーラ５の内方に配置される。
【００６３】
カバー部５ａは、補強用のインサート部材を有する。カバー部５ａは、ビス３５ａ等を用いて裏カバー３５が取り付けられる螺子孔５ｂを有する。また、カバー部５１ａは、カフ構造体６を装置本体３に接続するための孔部５ｃを有する。本実施形態において、孔部５ｃは、平カフ７１、センシングカフ７３及び甲カフ７４の後述する接続部８４、９３、１０３を挿入可能な径に形成され、カバー部５ａに３つ設けられる。ここで、平カフ７１の接続部８４が挿入される孔部５ｃを、第１孔部５ｃ１と称する。センシングカフ７３の接続部９３が挿入される孔部５ｃを、第２孔部５ｃ２と称する。甲カフ７４の接続部１０３が挿入される孔部５ｃを、第３孔部５ｃ３と称する。カバー部５ａは、固定された裏カバー３５を介して外郭ケース３１の生体側に固定される。
【００６４】
このようなカーラ５は、一端及び他端がベルト４の第２ベルト６２と対向する向きで外郭ケース３１に固定される。また、カーラ５は、少なくとも、手首２００の手の平側と対向する位置が、手首２００の手の平側に沿って周方向に沿って湾曲することで、手首２００の手の平側と対向するカフ構造体６を、手首２００の手の平側の形状に倣って湾曲させた状態で保持する。
【００６５】
また、カーラ５は、可撓性及び形状保持性を有する硬さを有する。ここで、可撓性とは、カーラ５にベルト４の外力が印加されたときに径方向に形状が変形することをいう。例えば、可撓性とは、ベルト４によってカーラ５が押圧されたときに、手首に近接するか、手首の形状に沿うか、又は、手首の形状に倣うように側面視の形状が変形することをいう。また、形状保持性とは、外力が印加されないときに、カーラ５が予め賦形された形状を維持できることをいう。例えば、形状保持性とは、本実施形態においてはカーラ５の形状が手首の周方向に沿って湾曲する形状を維持できることである。
【００６６】
カーラ５は、内周面にカフ構造体６が配置され、そして、カーラ５の内周面形状に沿ってカフ構造体６を保持する。具体例として、カーラ５は、平カフ７１及び甲カフ７４が内周面に配置され、カーラ５及び平カフ７１及び甲カフ７４との間に設けられる接合層７５により、カフ構造体６が固定される。本実施形態においては、接合層７５は、接着剤や両面テープである。
【００６７】
カーラ５は、樹脂材料で形成される。カーラ５は、例えば、ポリプロピレンによって厚さが１ｍｍ程度に形成される。
【００６８】
また、カーラ５は、外面または内面に、給電部８が設けられる。具体例として、図１３に示すように、カバー部５ａの一端側の外面の一部、及びカーラ５の装置本体３側の面の一部に、給電部８が設けられる窪み５ｄが形成される。
【００６９】
窪み５ｄは、カバー部５ａの周縁部の一方の一対のラグ３１ａ間の部分から、カバー部５ａの一端に向かって延びる形状に形成される。窪み５ｄは、例えば、設けられた給電部８がカーラ５の外面から突出しない深さに構成される。
【００７０】
図１乃至図６、図８、図１４及び図１５に示すように、カフ構造体６は、平カフ（カフ）７１と、背板７２と、センシングカフ７３と、甲カフ（カフ）７４と、を備えている。また、カフ構造体６は、各構成同士、及び、カーラ５とカフ７１、７４を接合する接合層７５を備えている。カフ構造体６は、カーラ５に固定される。カフ構造体６は、平カフ７１、背板７２及びセンシングカフ７３が積層してカーラ５に配置され、甲カフ７４が平カフ７１、背板７２及びセンシングカフ７３と離間してカーラ５に配置される。
【００７１】
具体例として、カフ構造体６は、図６に示すように、カーラ５の手首２００の手の平側の内周面に、カーラ５の内周面から生体側に向かって、平カフ７１、背板７２及びセンシングカフ７３の順に積層して固定される。また、カフ構造体６は、カーラ５の手首２００の手の甲側の内周面に甲カフ７４が配置される。カフ構造体６の各部材は、積層方向に隣接する部材に接合層７５によって固定される。
【００７２】
平カフ７１は、所謂押圧カフである。平カフ７１は、流路部１５を介してポンプ１４に流体的に接続される。平カフ７１は、膨張することで背板７２及びセンシングカフ７３を生体側に押圧する。平カフ７１は、図８乃至図１０に示すように、複数の、例えば二層の空気袋８１と、空気袋８１と連通するチューブ８３と、チューブ８３の先端に設けられた接続部８４と、を含む。このような平カフ７１は、複数のシート部材８６を一体に溶着することで構成される。
【００７３】
ここで、空気袋８１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。複数の空気袋８１は、積層され、積層方向に流体的に連通する。
【００７４】
空気袋８１は、一方向に長い矩形状の袋形状に形成される。また、空気袋８１は、短手方向の幅が、カーラ５の短手方向の幅と同じ幅に設定される。空気袋８１は、例えば、二枚のシート部材８６を組み合わせ、図９及び図１０、図１４乃至図１７に溶着部８１ａを示すように、一方向に長い矩形枠状に熱により溶着することで構成される。また、二層の空気袋８１は、二つの空気袋８１を熱により溶着して一体に組み合わせるか、又は、隣り合う空気袋８１の対向するシート部材８６同士を溶着したあとに空気袋８１を溶着して形成することで構成される。二層の空気袋８１は、互いに対向するシート部材８６に設けられた開口によって流体的に連続する。
【００７５】
チューブ８３は、図８、図１４乃至図１７に示すように、一つの空気袋８１、例えば、カーラ５に隣接する空気袋８１の長手方向の一方の縁部の一部に一体に設けられる。具体例として、チューブ８３は、空気袋８１の装置本体３に近い端部に設けられる。また、チューブ８３は、空気袋８１の短手方向の幅よりも小さい幅で一方向に長い形状に形成され、先端が円形状に形成される。チューブ８３は、先端に接続部８４を有する。チューブ８３は、接続部８４を介して流路部１５に接続され、装置本体３と空気袋８１との間の流路を構成する。
チューブ８３は、二枚のシート部材８６に接続部８４を配置した状態で、シート部材８６の空気袋８１を構成する領域に隣接するシート部材８６の一部を一方向に長い枠状に熱により溶着することで構成される。
【００７６】
なお、チューブ８３が設けられる空気袋８１は、二枚のシート部材８６を矩形枠状に溶着する溶着部８１ａの一部を非溶着とし、チューブ８３を構成する溶着部８３ａと連続する構成とすることで、空気袋８１及びチューブ８３を流体的に連続する。
【００７７】
接続部８４は、例えばニップルである。接続部８４は、チューブ８３の先端に設けられる。接続部８４の先端は、チューブ８３を構成する二枚のシート部材８６のうち、カーラ５と対向するシート部材８６から露出する。接続部８４は、図２０に示すように、カーラ５のカバー部５ａの第１孔部５ｃ１に挿入される。接続部８４は、第１孔部５ｃ１と同径、または若干小さい径を有する形状に構成される。
【００７８】
具体例として、平カフ７１は、図９及び図１０に示すように、生体側から、第１シート部材８６ａと、第１シート部材８６ａと一層目の空気袋８１を構成する第２シート部材８６ｂと、第２シート部材８６ｂと一体に接合される第３シート部材８６ｃと、第３シート部材８６ｃと二層目の空気袋８１及びチューブ８３を構成する第４シート部材８６ｄと、を備える。なお、平カフ７１は、隣り合うシート部材８６が熱による溶着により接合されることで一体に構成される。
【００７９】
第１シート部材８６ａ及び第２シート部材８６ｂは、空気袋８１と同様の矩形状に構成され、四辺の周縁部が溶着されることで空気袋８１を構成する。第２シート部材８６ｂ及び第３シート部材８６ｃは、対向して配置され、それぞれ、二つの空気袋８１を流体的に連続させる複数の開口８６ｂ１、８６ｃ１を有する。また、第２シート部材８６ｂ及び第３シート部材８６ｃは、複数の開口８６ｂ１、８６ｃ１の周囲を、空気袋８１を溶着した四辺よりも小さい四辺枠状に熱により溶着されることで、一体に接合される。
【００８０】
第３シート部材８６ｃは、例えば、空気袋８１、及びチューブ８３を構成可能な形状に構成される。第４シート部材８６ｄは、例えば、空気袋８１及びチューブ８３を構成可能な形状に構成される。また、第４シート部材８６ｄは、例えば、接続部８４の先端を挿入可能な孔部８６ｄ１を有する。
【００８１】
第３シート部材８６ｃ及び第４シート部材８６ｄは、対向して配置され、空気袋８１及びチューブ８３が流体的に連続するように、空気袋８１及びチューブ８３の周縁形状に沿って熱により溶着され、所定の形状に裁断されることで空気袋８１、及びチューブ８３を構成する。
【００８２】
第４シート部材８６ｄは、孔部８６ｄ１に接続部８４が配置され、そして、孔部８６ｄ１の周囲が接続部８４と熱により溶着される。さらに、第４シート部材８６ｄは、カーラ５の内周面に、接合層７５を介して接合される。
【００８３】
背板７２は、図９及び図１０に示すように、接合層７５により平カフ７１の第１シート部材８６ａの外面に貼付される。背板７２は、樹脂材料で板状に形成される。背板７２は、例えば、ポリプロピレンからなり、厚さが１ｍｍ程度の板状に形成される。背板７２は、形状追従性を有する。
【００８４】
ここで、形状追従性とは、配置される手首２００の被接触箇所の形状を倣うように背板７２が変形可能な機能をいい、手首２００の被接触箇所とは、背板７２が対向する手首２００の領域をいい、ここでの接触とは、直接的な接触及びセンシングカフ７３を介した間接的な接触の双方を含む。
【００８５】
例えば、図１０に示すように、背板７２は、背板７２の両主面に長手方向に対して直交する方向に延びる複数の溝７２ａを有する。図１０に示すように、溝７２ａは、背板７２の両主面にそれぞれ複数設けられる。両主面に設けられた複数の溝７２ａは、背板７２の厚さ方向においてそれぞれ対向する。また、複数の溝７２ａは、背板７２の長手方向に等間隔に配置される。
【００８６】
背板７２は、複数の溝７２ａを有する部位が溝７２ａを有さない部位に比べて薄肉となることで、複数の溝７２ａを有する部位が変形しやすいことから、手首２００の形状に倣って変形し、手首の周方向に延在する形状追従性を有する。背板７２は、手首２００の手の平側を覆う長さに形成される。背板７２は、手首２００の形状に沿った状態で、平カフ７１からの押圧力をセンシングカフ７３の背板７２側の主面に伝達する。
【００８７】
センシングカフ７３は、流路部１５を介してポンプ１４に流体的に接続される。センシングカフ７３は、背板７２の生体側の主面に固定される。センシングカフ７３は、図６及び図９に示すように、手首２００の動脈２１０が存する領域に直接接触する。ここで、動脈２１０とは、橈骨動脈及び尺骨動脈である。センシングカフ７３は、背板７２の長手方向及び幅方向で、背板７２と同一形状か、又は、背板７２よりも小さい形状に形成される。センシングカフ７３は、膨張することで手首２００の手の平側の動脈２１０が存する領域を圧迫する。センシングカフ７３は、膨張した平カフ７１により、背板７２を介して生体側に押圧される。
【００８８】
具体例として、センシングカフ７３は、図９、図１０、図１８及び図１９に示すように、一つの空気袋９１と、空気袋９１と連通するチューブ９２と、チューブ９２の先端に設けられた接続部９３と、を含む。センシングカフ７３は、空気袋９１の一方の主面が背板７２に固定される。例えば、センシングカフ７３は、背板７２の生体側の主面に接合層７５により接合される。このようなセンシングカフ７３は、二枚のシート部材９６を一体に溶着することで構成される。
【００８９】
ここで、空気袋９１とは、袋状構造体であり、本実施形態においては血圧測定装置１がポンプ１４により空気を用いる構成であることから、空気袋を用いて説明するが、空気以外の流体を用いる場合には、袋状構造体は液体袋等であってもよい。
【００９０】
空気袋９１は、一方向に長い矩形状に構成される。空気袋９１は、例えば、一方向に長い二枚のシート部材９６を組み合わせ、図９、図１０、図１４、図１８及び図１９に溶着部９１ａを示すように、一方向に長い矩形枠状に熱により溶着することで構成される。
【００９１】
チューブ９２は、空気袋９１の長手方向の一方の縁部の一部に一体に設けられる。具体例として、チューブ９２は、空気袋９１の装置本体３に近い端部に設けられる。また、チューブ９２は、空気袋９１の短手方向の幅よりも小さい幅で一方向に長い形状に形成され、先端が円形状に形成される。チューブ９２は、先端に接続部９３を有する。チューブ９２は、先端に、接続部９３を有する。チューブ９２は、接続部９３を介して流路部１５に接続され、装置本体３と空気袋９１との間の流路を構成する。
【００９２】
チューブ９２は、二枚のシート部材９６に接続部９３を配置した状態で、シート部材９６の空気袋９１を構成する領域に隣接するシート部材９６の一部を一方向に長い枠状に熱により溶着することで構成される。なお、空気袋９１は、二枚のシート部材９６を矩形枠状に溶着する溶着部９１ａの一部を非溶着とし、チューブ９２を構成する溶着部９２ａと連続する構成とすることで、空気袋９１及びチューブ９２を流体的に連続する。
【００９３】
接続部９３は、例えばニップルである。接続部９３は、チューブ９２の先端に設けられる。また、接続部９３の先端は、チューブ９２を構成する二枚のシート部材９６のうち、カーラ５及び背板７２と対向するシート部材９６から外部に露出する。
【００９４】
接続部９３は、流路部１５に接続される。接続部９３は、図２０に示すように、チューブ９２から突出する筒状に構成される。接続部９３は、例えばニップルである。接続部９３は、カーラ５のカバー部５ａの第２孔部５ｃ２に挿入される。接続部９３は、第２孔部５ｃ２と同径、または、若干小さい径を有する形状に構成される。
【００９５】
具体例として、センシングカフ７３は、図９及び図１０に示すように、生体側から第５シート部材９６ａ及び第６シート部材９６ｂを備える。なお、センシングカフ７３は、隣り合うシート部材９６が熱による溶着により接合されることで構成される。
【００９６】
例えば、第５シート部材９６ａ及び第６シート部材９６ｂは、空気袋８１、及びチューブ８３を構成可能な形状に構成される。第５シート部材９６ａ及び第６シート部材９６ｂは、対向して配置され、空気袋９１及びチューブ９２が流体的に連続するように、空気袋９１及びチューブ９２の周縁形状に沿って熱により溶着され、所定の形状に裁断されることで空気袋９１及びチューブ９２を構成する。
【００９７】
また、第６シート部材９６ｂは、例えば、接続部９３の先端を挿入可能な孔部９６ｂ１を有する。第６シート部材９６ｂは、孔部９６ｂ１に接続部９３が配置され、そして、孔部９６ｂ１の周囲が接続部９３と熱により溶着される。第６シート部材９６ｂは、背板７２の内周面に、接合層７５を介して接合される。
【００９８】
甲カフ７４は、所謂引っ張りカフである。甲カフ７４は、流路部１５を介してポンプ１４に流体的に接続される。甲カフ７４は、膨張することで手首２００から離間するようにカーラ５を押圧することで、ベルト４及びカーラ５を手首２００の手の甲側に引っ張る。甲カフ７４は、複数の、例えば六層の空気袋１０１と、カーラ５と対向する空気袋１０１に設けられた接続部１０３と、を含む。このような甲カフ７４は、複数のシート部材１０６を一体に溶着することで構成される。
【００９９】
また、甲カフ７４は、膨張方向、本実施形態においては、カーラ５及び手首２００の対向する方向で、膨張時の厚さが、平カフ７１の膨張方向における膨張時の厚さ、及び、センシングカフ７３の膨張方向における膨張時の厚さよりも厚く構成される。即ち、甲カフ７４の空気袋１０１は、平カフ７１の空気袋８１及びセンシングカフ７３の空気袋９１よりも多い層構造を有し、カーラ５から手首２００に向かって膨張したときの厚さが平カフ７１及びセンシングカフ７３よりも厚い。
【０１００】
ここで、空気袋１０１とは、袋状構造体であり、本実施形態においては血圧測定装置１がポンプ１４により空気を用いる構成であることから、空気袋を用いて説明するが、空気以外の流体を用いる場合には、袋状構造体は液体袋等の流体袋であってもよい。複数の空気袋１０１は、積層され、積層方向に流体的に連通する。
【０１０１】
空気袋１０１は、一方向に長い矩形状の袋形状に形成される。また、空気袋１０１は、短手方向の幅が、カーラ５の短手方向の幅と同じ幅に設定される。空気袋１０１は、例えば、二枚のシート部材１０６を組み合わせ、図１１、図１２、図１４及び図１５に溶着部１０１ａを示すように、一方向に長い矩形枠状に熱により溶着することで構成される。また、六層の空気袋１０１は、例えば、六つの空気袋１０１を熱により溶着して一体に組み合わせるか、又は、隣り合う空気袋１０１の対向するシート部材１０６同士を溶着したあとに空気袋１０１を溶着して形成することで構成される。六層の空気袋１０１は、互いに対向するシート部材１０６に設けられた開口によって流体的に連続する。
【０１０２】
接続部１０３は、例えばニップルである。接続部１０３は、カーラ５と隣接して配置される空気袋１０１の長手方向で中央側に設けられる。接続部１０３の先端は、空気袋１０１を構成する二枚のシート部材１０６のうち、カーラ５と対向するシート部材１０６から露出する。
【０１０３】
接続部１０３は、流路部１５に接続される。接続部１０３は、図２０に示すように、空気袋１０１から突出する筒状に構成される。接続部１０３は、例えばニップルである。接続部１０３は、カーラ５のカバー部５ａの第３孔部５ｃ３に挿入される。接続部１０３は、第３孔部５ｃ３と同径、または、若干小さい径を有する。
【０１０４】
具体例として、甲カフ７４は、図１１及び図１２に示すように、生体側から、第７シート部材１０６ａと、第８シート部材１０６ｂと、第９シート部材１０６ｃと、第１０シート部材１０６ｄと、第１１シート部材１０６ｅと、第１２シート部材１０６ｆと、第１３シート部材１０６ｇと、第１４シート部材１０６ｈと、第１５シート部材１０６ｉと、第１６シート部材１０６ｊと、第１７シート部材１０６ｋと、第１８シート部材１０６ｌと、を備えている。なお、甲カフ７４は、隣り合うシート部材１０６が熱による溶着により接合されることで一体に構成される。
【０１０５】
第７シート部材１０６ａ乃至第１８シート部材１０６ｌは、空気袋１０１と同様の矩形状に構成される。第７シート部材１０６ａ及び第８シート部材１０６ｂは、四辺の周縁部が溶着されることで、一層目の空気袋１０１を構成する。第８シート部材１０６ｂ及び第９シート部材１０６ｃは、対向して配置され、それぞれ、二つの空気袋１０１を流体的に連続させる複数の開口１０６ｂ１、１０６ｃ１を有する。また、第８シート部材１０６ｂ及び第９シート部材１０６ｃは、複数の開口１０６ｂ１、１０６ｃ１の周囲を、空気袋１０１を溶着した四辺よりも小さい四辺枠状に熱により溶着されることで、一体に接合される。
【０１０６】
第９シート部材１０６ｃ及び第１０シート部材１０６ｄは、四辺の周縁部が溶着されることで、二層目の空気袋１０１を構成する。
【０１０７】
第１０シート部材１０６ｄ及び第１１シート部材１０６ｅは、図１１及び図１２に示すように、対向して配置され、それぞれ、二つの空気袋１０１を流体的に連続させる複数の開口１０６ｄ１、１０６ｅ１を有する。また、第１０シート部材１０６ｄ及び第１１シート部材１０６ｅは、複数の開口１０６ｄ１、１０６ｅ１の周囲を、空気袋１０１を溶着した四辺よりも小さい四辺枠状に熱により溶着されることで、一体に接合される。第１１シート部材１０６ｅ及び第１２シート部材１０６ｆは、四辺の周縁部が溶着されることで、三層目の空気袋１０１を構成する。
【０１０８】
第１２シート部材１０６ｆ及び第１３シート部材１０６ｇは、図１１及び図１２に示すように、対向して配置され、それぞれ、二つの空気袋１０１を流体的に連続させる複数の開口１０６ｆ１、１０６ｇ１を有する。また、第１２シート部材１０６ｆ及び第１３シート部材１０６ｇは、複数の開口１０６ｆ１、１０６ｇ１の周囲を、空気袋１０１を溶着した四辺よりも小さい四辺枠状に熱により溶着されることで、一体に接合される。第１３シート部材１０６ｇ及び第１４シート部材１０６ｈは、四辺の周縁部が溶着されることで、四層目の空気袋１０１を構成する。
【０１０９】
第１４シート部材１０６ｈ及び第１５シート部材１０６ｉは、図１１及び図１２に示すように、対向して配置され、それぞれ、二つの空気袋１０１を流体的に連続させる複数の開口１０６ｈ１、１０６ｉ１を有する。また、第１４シート部材１０６ｈ及び第１５シート部材１０６ｉは、複数の開口１０６ｈ１、１０６ｉ１の周囲を、空気袋１０１を溶着した四辺よりも小さい四辺枠状に熱により溶着されることで、一体に接合される。第１５シート部材１０６ｉ及び第１６シート部材１０６ｊは、四辺の周縁部が溶着されることで、五層目の空気袋１０１を構成する。
【０１１０】
第１６シート部材１０６ｊ及び第１７シート部材１０６ｋは、図１１及び図１２に示すように、対向して配置され、それぞれ、二つの空気袋１０１を流体的に連続させる複数の開口１０６ｊ１、１０６ｋ１を有する。また、第１７シート部材１０６ｋは、例えば、空気袋１０１を構成可能な形状に構成される。第１６シート部材１０６ｊ及び第１７シート部材１０６ｋは、複数の開口１０６ｊ１、１０６ｋ１の周囲を、空気袋１０１を溶着した四辺よりも小さい四辺枠状に熱により溶着されることで、一体に接合される。第１７シート部材１０６ｋ及び第１８シート部材１０６ｌは、空気袋１０１の周縁形状に沿って熱により溶着され、所定の形状に裁断されることで、六層目の空気袋８１を構成する。
【０１１１】
また、第１８シート部材１０６ｌは、例えば、接続部１０３の先端を挿入可能な孔部１０６ｌ１を有する。第１８シート部材１０６ｌは、孔部１０６ｌ１に接続部１０３が配置され、そして、孔部１０６ｌ１の周囲が接続部１０３と熱により溶着される。また、第１８シート部材１０６ｌは、カーラ５の内周面に、第１７シート部材１０６ｋは、カーラ５の外周面に、それぞれ接合層７５を介して接合される。
【０１１２】
また、平カフ７１、センシングカフ７３及び甲カフ７４を形成する各シート部材８６、９６、１０６は、熱可塑性樹脂材料により形成される。熱可塑性樹脂材料は、熱可塑性エラストマーである。シート部材８６、９６、１０６を構成する熱可塑性樹脂材料としては、例えば、熱可塑性ポリウレタン系樹脂（Ｔｈｅｒｍｏｐｌａｓｔｉｃ  ＰｏｌｙＵｒｅｔｈａｎｅ、以下ＴＰＵと表記する）、塩化ビニル樹脂（ＰｏｌｙＶｉｎｙｌ  Ｃｈｌｏｒｉｄｅ）、エチレン酢酸ビニル樹脂（Ｅｔｈｙｌｅｎｅ−Ｖｉｎｙｌ  Ａｃｅｔａｔｅ）、熱可塑性ポリスチレン系樹脂（Ｔｈｅｒｍｏｐｌａｓｔｉｃ  ＰｏｌｙＳｔｙｒｅｎｅ）、熱可塑性ポリオレフィン樹脂（Ｔｈｅｒｍｏｐｌａｓｔｉｃ  ＰｏｌｙＯｌｅｆｉｎ）、熱可塑性ポリエステル系樹脂（ＴｈｅｒｍｏＰｌａｓｔｉｃ  Ｐｏｌｙｅｓｔｅｒ）及び熱可塑性ポリアミド樹脂（Ｔｈｅｒｍｏｐｌａｓｔｉｃ  ＰｏｌｙＡｍｉｄｅ）を用いることができる。なお、平カフ７１、センシングカフ７３は、少なくとも空気袋８１、１０１を構成する複数のシート部材８６、１０６のうち、少なくともカーラ５と溶着されるシート部材８６、１０６がカーラ５と同種材料で構成される。
【０１１３】
例えば、シート部材８６、９６、１０６は、Ｔダイ押し出し成形や射出成形等の成形方式が用いられる。シート部材８６、９６、１０６は、各成形方式で成形された後、所定の形状にサイジングされ、そして、サイジングした個片を溶着等により接合することで袋状構造体８１、９１、１０１を構成する。溶着の方式としては、高周波ウェルダーやレーザー溶着が用いられる。
【０１１４】
流体回路７は、ケース１１、ポンプ１４、流路部１５、開閉弁１６、圧力センサ１７、平カフ７１、センシングカフ７３、及び、甲カフ７４によって構成される。流体回路７に用いられる二つの開閉弁１６を第１開閉弁１６Ａ及び第２開閉弁１６Ｂとし、二つの圧力センサ１７を第１圧力センサ１７Ａ及び第２圧力センサ１７Ｂとして、以下、流体回路７の具体例を説明する。
【０１１５】
流体回路７は、図７に示すように、例えば、ポンプ１４から平カフ７１及び甲カフ７４を連続する第１流路７ａと、第１流路７ａの中途部が分岐されることで構成され、ポンプ１４からセンシングカフ７３を連続する第２流路７ｂと、第１流路７ａと大気を接続する第３流路７ｃと、を備えている。また、第１流路７ａは、第１圧力センサ１７Ａを含む。第１流路７ａ及び第２流路７ｂの間には第１開閉弁１６Ａが設けられる。第２流路７ｂは、第２圧力センサ１７Ｂを含む。第１流路７ａ及び第３流路７ｃの間には、第２開閉弁１６Ｂが設けられる。
【０１１６】
このような流体回路７は、第１開閉弁１６Ａ及び第２開閉弁１６Ｂが閉じることで、第１流路７ａのみがポンプ１４と接続し、ポンプ１４、平カフ７１及び甲カフ７４が流体的に接続される。流体回路７は、第１開閉弁１６Ａが開き、そして、第２開閉弁１６Ｂが閉じることで、第１流路７ａ及び第２流路７ｂが接続され、ポンプ１４、平カフ７１及び甲カフ７４、並びに、ポンプ１４及びセンシングカフ７３が流体的に接続される。流体回路７は、第１開閉弁１６Ａが閉じ、そして、第２開閉弁１６Ｂが閉じることで、第１流路７ａ及び第３流路７ｃが接続され、平カフ７１、甲カフ７４及び大気が流体的に接続される。流体回路７は、第１開閉弁１６Ａ及び第２開閉弁１６Ｂが開くことで、第１流路７ａ、第２流路７ｂ及び第３流路７ｃが接続され、平カフ７１、センシングカフ７３、甲カフ７４及び大気が流体的に接続される。
【０１１７】
給電部８は、図２１に示すように、装置本体３から突出するカーラ５の一端側の外面に設けられた窪み５ｄに設けられる。給電部８は、充電器の充電ケーブルの先端に設けられたコネクタと接続可能、且つ、当該コネクタを固定可能に構成される。
【０１１８】
給電部８は、配線部８ａと、給電端子８ｂと、給電カバー８ｃと、を備えている。配線部８ａは、窪み５ｄ内に収容される。配線部８ａは、一端が給電端子８ｂに、他端が制御部５５に接続される。給電端子８ｂは、窪み５ｄの、外郭ケース３１に対して反対側の端部に収容される。給電端子８ｂは、例えば円形状に構成され、二つ設けられる。
【０１１９】
給電カバー８ｃは、窪み５ｄ内に収容される。給電カバー８ｃは、窪み５ｄと同形状に構成され、窪み５ｄに嵌る。また、給電カバー８ｃは、給電端子８ｂを外部に露出する孔を有する。給電カバー８ｃ及び配線部８ａは、例えば粘着テープ８ｄにより、窪み５ｄ内に固定される。
【０１２０】
粘着テープ８ｄは、例えば、給電カバー８ｃの内面、及び配線部８ａの表面の間、並びに、窪み５ｄの内面及び配線部８ａの間の、後述する撥水処理が施されていない領域に設けられる。なお、粘着テープ８ｄが設けられる箇所は、限定されない。
【０１２１】
撥水部９は、ケース１１、カーラ５、及びカフ構造体６の少なくとも１つにより構成される流路の内面、及び当該流路を構成する部材の外面の、当該流路に連続する部分の少なくとも一方に設けられる。流路は、ケース１１の内外を連通し、空気が流動可能に構成される。流路は、例えば、ケース１１、カーラ５、及びカフ構造体６の少なくとも１つにより構成された通気孔や、ケース１１、カーラ５、及びカフ構造体６の２つにより構成される隙間である。換言すると、流路は、積極的に形成され通気孔や、部材間の隙間を含む概念である。
【０１２２】
流路は、例えば、孔３１ｃと、給電カバー８ｃ及び窪み５ｄの間の第１隙間Ｓ１と、カバー部５ａ及び平カフ７１の間の第２隙間Ｓ２と、カバー部５ａ及びセンシングカフ７３の間の第３隙間Ｓ３と、カバー部５ａ及び甲カフ７４の間の第４隙間Ｓ４と、である。撥水部９は、これら流路に、設けられる。
【０１２３】
第１隙間Ｓ１は、具体的には、図２１に示すように、給電カバー８ｃの内面、窪み５ｄの内面、及び配線部８ａの表面の、それぞれの互いに対向する面間の隙間である。  
第２隙間Ｓ２は、具体的には、図２０に示すように、カバー部５ａの第１孔部５ｃ１の内面５ｃ１１、及び接続部８４の外面８４ａの間の隙間と、この隙間に連通する、カバー部５ａの生体側の面５ａ１、及びチューブ８３のカバー部５ａ側の面８３ｂの間の隙間と、を有する。
【０１２４】
第３隙間Ｓ３は、具体的には、カバー部５ａの第２孔部５ｃ２の内面５ｃ２１、及び接続部９３の外面９３ａの間の隙間と、この隙間に連通する、カバー部５ａの生体側の面５ａ１、及びチューブ９２のカバー部５ａ側の面９２ｂの間の隙間と、を有する。
【０１２５】
第４隙間Ｓ４は、具体的には、カバー部５ａの第３孔部５ｃ３の内面５ｃ３１、及び接続部１０３の外面１０３ａの間の隙間と、この隙間に連通する、カバー部５ａの生体側の面５ａ１、及び袋構造体１０１のカバー部５ａ側の面１０１ｂの間の隙間と、を有する。
【０１２６】
撥水部９は、具体的には、図５に示すように孔３１ｃに設けられる第１撥水部１１１と、図２１に示すように第１隙間Ｓ１に設けられる第２撥水部１１２と、図２０に示すように、第２隙間Ｓ２に設けられる第３撥水部１１３と、第３隙間Ｓ３に設けられる第４撥水部１１４と、第４隙間Ｓ４に設けられる第５撥水部１１５と、を備えている。
【０１２７】
また、撥水部９は、撥水処理を施すことにより、構成される。撥水処理とは、撥水処理が施される前に比較して、水の接触角度を大きくする処理である。撥水処理は、好ましくは、水の接触角度を、９０度以上にする処理である。撥水処理の一例として、フッ素処理が施される。フッ素処理は、例えば、フッ素樹脂を含む処理液を、刷毛や綿棒を用いて塗布されることにより、施される。処理液が乾燥することで、フッ素樹脂を含む被膜が形成される。この被膜が、撥水部となる。または、撥水部９は、流路を構成する部材を、所望の撥水性を有する材料で形成することで構成されてもよい。
【０１２８】
第１撥水部１１１は、図４及び図５に示すように、孔３１ｃの内面に設けられた第１内側撥水部１１１ａと、外郭ケース３１の外周面の、孔３１ｃに連続する部分に設けられ第１外側撥水部１１１ｂと、を有する。
【０１２９】
第１内側撥水部１１１ａは、例えば、内面３１ｃ１の孔３１ｃの軸回りに一周連続する領域に設けられる。第１内側撥水部１１１ａは、具体例として、内面３１ｃ１の全域に設けられる。
【０１３０】
第１外側撥水部１１１ｂは、外郭ケース３１の外周面３１ｆの第２開口端３１ｅの周囲に設けられる。第１外側撥水部１１１ｂは、具体例として、外周面３１ｆの第２開口端３１ｅの縁を含む第２開口端３１ｅの周囲の環状の領域Ａに、撥水処理が施されることで、設けられる。
【０１３１】
第２撥水部１１２は、図２１に示すように、第１隙間Ｓ１を構成する、給電カバー８ｃの内面、窪み５ｄの内面、及び配線部８ａの表面の少なくとも一つに、撥水処理が施されることで、設けられる。第２撥水部１１２は、例えば、第１隙間Ｓ１のうち、ケース１１側の端部を構成する面に設けられる。
【０１３２】
第２撥水部１１２は、具体例として、窪み５ｄの外郭ケース３１側の端部の内面の、窪み５ｄの長手方向からの側面視で給電カバー８ｃの周方向に沿って一端から他端までの連続する領域Ｂと、窪み５ｄの外郭ケース３１側の端面Ｃと、給電カバー８ｃのケース１１側の端部の内面の領域Ｂと対向する領域Ｄと、配線部８ａの表面の領域Ｂ，Ｄに対向する部分と、に撥水処理が施されることで、設けられる。
【０１３３】
第３撥水部１１３は、第３内側撥水部１１３ａと、第３外側撥水部１１３ｂと、を有する。第３内側撥水部１１３ａは、図２０に示すように、第１孔部５ｃ１の内面、及び接続部８４の外面に撥水処理が施されることで、設けられる。
【０１３４】
第３内側撥水部１１３ａは、具体例として、第１孔部５ｃ１のチューブ８３側の端部の内面の、第１孔部５ｃ１の軸回りに一周連続する領域Ｅと、接続部８４の外面の、第１孔部５ｃ１の端部の内面に対向し、接続部８４の軸回りに一周連続する領域Ｆと、に撥水処理が施されることで、設けられる。
【０１３５】
第３外側撥水部１１３ｂは、カバー部５ａの生体側の面５ａ１の第１孔部５ｃ１の周囲と、接続部８４の外面及びチューブ８３の外面の、第１孔部５ｃ１の周囲と、に設けられる。第３外側撥水部１１３ｂは、具体的には、カバー部５ａの生体側の面５ａ１の、第１孔部５ｃ１の縁を含み、第１孔部５ｃ１の周囲の環状の領域Ｇと、チューブ８３の、接続部８４の周囲に一周連続する環状の領域Ｈと、接続部８４の外面８４ａのチューブ８３側の端部の、接続部８４の軸回りに一周連続する領域Ｉと、に撥水処理が施されることで、設けられる。領域Ｈに設けられる撥水部と、領域Ｉに設けられる撥水部と、は、連続して構成される。
【０１３６】
また、第３内側撥水部１１３ａと、第３外側撥水部１１３ｂとは、連続して構成される。具体的には、第３内側撥水部１１３ａの領域Ｅに設けられる撥水部、及び第３外側撥水部１１３ｂの領域Ｇに設けられる撥水部は、連続して構成される。第３内側撥水部１１３ａの領域Ｆに設けられる撥水部、及び第３外側撥水部１１３ｂの領域Ｈに設けられる撥水部は、連続して構成される。
【０１３７】
第４撥水部１１４は、第４内側撥水部１１４ａと、第４外側撥水部１１４ｂと、を有する。第４内側撥水部１１４ａは、カバー部５ａの生体側の面５ａ１の第２孔部５ｃ２の周囲と、接続部９３の外面及びチューブ９２の外面の第２孔部５ｃ２の周囲と、に設けられる。
【０１３８】
第４内側撥水部１１４ａは、具体例として、第２孔部５ｃ２のチューブ９２側の端部の内面の、第２孔部５ｃ２の軸回りに一周連続する領域Ｊと、接続部９３の外面９３ａの、第２孔部５ｃ２の端部に対向し、接続部９３の軸回りに一周連続する領域Ｋと、に撥水処理施されることで、設けられる。
【０１３９】
第４外側撥水部１１４ｂは、カバー部５ａの生体側の面５ａ１の第２孔部５ｃ２の周囲と、接続部９３の外面及びチューブ９２の外面の、第２孔部５ｃ２の周囲と、に設けられる。第４外側撥水部１１４ｂは、具体例として、カバー部５ａの生体側の面５ａ１の、第２孔部５ｃ２の縁を含み、第２孔部５ｃ２の周囲の環状の領域Ｌと、チューブ９２の、接続部９３の周囲に一周連続する環状の領域Ｍと、接続部９３の外面９３ａのチューブ９２側の端部の、接続部９３の軸回りに一周連続する領域Ｎと、に撥水処理が施されることで、設けられる。領域Ｍに設けられる撥水部、及び領域Ｎに設けられる撥水部は、連続して構成される。
【０１４０】
また、第４内側撥水部１１４ａと、第４外側撥水部１１４ｂとは、連続して構成される。具体的には、第４内側撥水部１１４ａの領域Ｋに設けられる撥水部、及び第４外側撥水部１１４ｂの領域Ｎに設けられる撥水部は、連続して構成される。第４内側撥水部１１４ａの領域Ｊに設けられる撥水部、及び第４外側撥水部１１４ｂの領域Ｌに設けられる撥水部は、連続して構成される。
【０１４１】
第５撥水部１１５は、第５内側撥水部１１５ａと、第５外側撥水部１１５ｂと、を有する。第５内側撥水部１１５ａは、第３孔部５ｃ３の内面、及び接続部１０３の外面に撥水処理が施されることで、設けられる。
【０１４２】
第５内側撥水部１１５ａは、具体的には、第３孔部５ｃ３の空気袋１０１側の端部の内面の、第３孔部５ｃ３の軸回りに一周連続する領域Ｏと、接続部１０３の外面１０３ａの、第３孔部５ｃ３の端部の内面に対向し、接続部１０３の軸回りに一周連続する領域Ｐと、に撥水処理が施されることで、設けられる。
【０１４３】
第５外側撥水部１１５ｂは、カバー部５ａの生体側の面５ａ１の第３孔部５ｃ３の周囲と、接続部１０３の外面及び袋構造体１０１の外面の、第３孔部５ｃ３の周囲と、に設けられる。第５外側撥水部１１５ｂは、具体例として、カバー部５ａの生体側の面５ａ１の、第３孔部５ｃ３の縁を含み、第３孔部５ｃ３の周囲の環状の領域Ｑと、空気袋１０１の接続部１０３の周囲に一周連続する環状の領域Ｒと、接続部１０３の外面１０３ａの空気袋１０１側の端部の、接続部１０３の軸回りに一周連続する領域Ｓと、に撥水処理が施されることで、設けられる。領域Ｒに設けられる撥水部、及び領域Ｓに設けられる撥水部は、連続して構成される。
【０１４４】
また、第５内側撥水部１１５ａ、及び第５外側撥水部１１５ｂは、連続して構成される。具体的には、第５内側撥水部１１５ａの領域Ｐ設けられる撥水部、及び第５外側撥水部１１５ｂの領域Ｓに設けられる撥水部は、連続して構成される。第５内側撥水部１１５ａの領域Ｏに設けられる撥水部、及び第５外側撥水部１１５ｂの領域Ｑに設けられる撥水部は、連続して構成される。
【０１４５】
次に、血圧測定装置１を使用した血圧値の測定の一例について、図２２乃至図２６を用いて説明する。図２２は、血圧測定装置１を用いた血圧測定の一例を示す流れ図であり、ユーザの動作及び制御部５５の動作の双方を示す。また、図２３乃至図２５は、ユーザが手首２００に血圧測定装置１を装着する一例を示す。
【０１４６】
先ず、ユーザは、手首２００に血圧測定装置１を装着する（ステップＳＴ１）。具体例として、例えば、ユーザは、図２３に示すように、手首２００の一方をカーラ５内に挿入する。
【０１４７】
このとき、血圧測定装置１は、装置本体３及びセンシングカフ７３がカーラ５の相対する位置に配置されることから、センシングカフ７３を手首２００の手の平側の動脈２１０が存する領域に配置される。これにより、装置本体３及び甲カフ７４は、手首２００の手の甲側に配される。次いで図２４に示すように、ユーザが血圧測定装置１を配した手とは反対の手によって、第１ベルト６１の尾錠６１ｂの枠状体６１ｅに第２ベルト６２を通す。次いで、ユーザは、第２ベルト６２を引っ張り、カーラ５の内周面側の部材、即ち、カフ構造体６を手首２００に密着させ、小孔６２ａにつく棒６１ｆを挿入する。これにより、図２５に示すように、第１ベルト６１及び第２ベルト６２が接続され、血圧測定装置１が手首２００に装着される。
【０１４８】
次に、ユーザは、操作部１３を操作して、血圧値の測定開始に対応した指令の入力を行う。指令の入力操作が行われた操作部１３は、測定開始に対応した電気信号を制御部５５へ出力する（ステップＳＴ２）。制御部５５は、当該電気信号を受信すると、例えば、第１開閉弁１６Ａを開くとともに、第２開閉弁１６Ｂを閉じ、ポンプ１４を駆動し、第１流路７ａ及び第２流路７ｂを介して平カフ７１、センシングカフ７３及び甲カフ７４へ圧縮空気を供給する（ステップＳＴ３）。これにより、平カフ７１、センシングカフ７３及び甲カフ７４は膨張を開始する。
【０１４９】
ポンプ１４が駆動されると、ポンプ１４は、ケース１１内の空気を吸い込む。この為、ケース１１内は、負圧となる。ケース１１内が負圧となると、孔３１ｃを通してケース１１外からケース１１内へ空気が流入する。
【０１５０】
このとき、孔３１ｃ内へ流入する空気に伴ってケース１１の外側から孔３１ｃへ向かって移動する水は、外郭ケース３１の外周面３１ｆの第２開口端３１ｅの周囲の第１外側撥水部１１１ｂによって、第２開口端３１ｅの周囲に付着することが抑制される。ここで言う水は、使用者の汗や、雨等の水を含む。
【０１５１】
さらに、第１外側撥水部１１１ｂを越えて孔３１ｃ内に浸入しようとする水は、第１内側撥水部１１１ａにより生じる、水を孔３１ｃから孔３１ｃ外へ押す作用を有する毛細管現象によって、浸入することが抑制される。
【０１５２】
また、空気内に含まれ、透湿防水フィルタ３６まで到達した水は、透湿防水フィルタ３６によりケース１１内への浸入が抑制される。
【０１５３】
さらに、孔３１ｃが、外郭ケース３１の中心線に対して傾斜する形状を有することから、例えば、使用者が表示部１２を確認する場合等に、手首２００を使用者の頭の下方に移動し、かつ、外郭ケース３１の軸線が重力方向に平行なる姿勢にすると、万が一孔３１ｃ内に浸入しても、水が、重力の作用によっても、第２開口端３１ｅ側に移動される。
【０１５４】
第１隙間Ｓ１に浸入しようとする水は、第２撥水部１１２により生じる、水を第１隙間Ｓ１から第１隙間Ｓ１外へ押す作用を有する毛細管現象によって、第１隙間Ｓ１に浸入することが抑制される。
【０１５５】
第２隙間Ｓ２に浸入しようとする水は、第３撥水部１１３により生じる、水を第２隙間Ｓ２から第２隙間Ｓ２外へ押す作用を有する毛細管現象によって、第２隙間Ｓ２に浸入することが抑制される。
【０１５６】
第３隙間Ｓ３に浸入しようとする水は、第４撥水部１１４により生じる、水を第３隙間Ｓ３から第３隙間Ｓ３外へ押す作用を有する毛細管現象によって、第３隙間Ｓ３に浸入することが抑制される。
【０１５７】
第４隙間Ｓ４に浸入しようとする水は、第５撥水部１１５により生じる、水を第４隙間Ｓ４から第４隙間Ｓ４外へ押す作用を有する毛細管現象によって、第４隙間Ｓ４に浸入することが抑制される。
【０１５８】
第１圧力センサ１７Ａ及び第２圧力センサ１７Ｂは、平カフ７１、センシングカフ７３及び甲カフ７４の圧力をそれぞれ検出し、この圧力に対応した電気信号を制御部５５へ出力する（ステップＳＴ４）。制御部５５は、受信した電気信号に基づいて、平カフ７１、センシングカフ７３及び甲カフ７４の内部空間の圧力が血圧測定のための所定の圧力に達しているか否かを判断する（ステップＳＴ５）。例えば、平カフ７１及び甲カフ７４の内圧が所定の圧力に達しておらず、且つ、センシングカフ７３の内圧が所定の圧力に達した場合には、制御部５５は、第１開閉弁１６Ａを閉じ、第１流路７ａを介して圧縮空気を供給する。
【０１５９】
平カフ７１及び甲カフ７４の内圧並びにセンシングカフ７３の内圧が、全て所定の圧力に達した場合には、制御部５５は、ポンプ１４の駆動を停止する（ステップＳＴ５でＹＥＳ）。このとき、図６に示すように、平カフ７１及び甲カフ７４は十分に膨張しており、膨張した平カフ７１は、背板７２を押圧する。また、甲カフ７４は、手首２００から離間する方向に、カーラ５を押圧することから、ベルト４、カーラ５及び装置本体３は、手首２００から離間する方向に移動し、結果、平カフ７１、背板７２、センシングカフ７３が手首２００側に引っ張られる。加えて、甲カフ７４の膨張によってベルト４、カーラ５及び装置本体３が手首２００から離間する方向に移動するときに、ベルト４及びカーラ５が、手首２００の両側方に向かって移動し、手首２００の両側方に密着した状態で、ベルト４、カーラ５及び装置本体３が移動する。このため、手首２００の皮膚に密着したベルト４及びカーラ５は、手首２００の両側方の皮膚を手の甲側に引っ張る。なお、カーラ５は、手首２００の皮膚を引っ張ることができれば、例えば、シート部材８６、１０６を介して間接的に手首２００の皮膚に接触する構成であってもよい。
【０１６０】
さらに、センシングカフ７３は、内圧が血圧を測定するために要する圧力となるように所定の空気量が供給され、膨張しており、そして、平カフ７１に押圧された背板７２によって手首２００に向かって押圧される。このため、センシングカフ７３は、手首２００内の動脈２１０を押圧し、図２６に示すように動脈２１０を閉塞する。
【０１６１】
また、制御部５５は、例えば、第２開閉弁１６Ｂを制御し、第２開閉弁１６Ｂの開閉を繰り返すか、又は、第２開閉弁１６Ｂの開度を調整することで、平カフ７１の内部空間の圧力を加圧させる。この加圧の過程において第２圧力センサ１７Ｂが出力する電気信号に基づいて、制御部５５は、最高血圧及び最低血圧等の血圧値や心拍数等の測定結果を求める（ステップＳＴ６）。制御部５５は、求めた測定結果に対応した画像信号を、表示部１２へ出力し、測定結果を表示部１２に表示する（ステップＳＴ７）。また、制御部５５は、血圧測定終了後、第１開閉弁１６Ａ及び第２開閉弁１６Ｂを開く。
【０１６２】
表示部１２は、画像信号を受信すると、当該測定結果を画面に表示する。使用者は、表示部１２を視認することで、当該測定結果を確認する。なお、使用者は、測定終了後、小孔６２ａからつく棒６１ｆを外し、枠状体６１ｅから第２ベルト６２を外し、カーラ５から手首２００を抜くことで、手首２００から血圧測定装置１を取り外す。
【０１６３】
このように構成された本実施形態に係る血圧測定装置１は、撥水部９が設けられることで、ケース１１に設けられる、孔３１ｃ、第１隙間Ｓ１、第２隙間Ｓ２、第３隙間Ｓ３、及び第４隙間Ｓ４等の流路を通してケース１１内に水が浸入することを抑制できるので、血圧測定装置１の防水性を向上できる。
【０１６４】
具体的には、血圧測定装置１は、第１撥水部１１１の第１外側撥水部１１１ｂにより、外郭ケース３１の外周面３１ｆの第２開口端３１ｅの周囲に付着することを抑制できるので、水が孔３１ｃ内に浸入することが抑制される。結果、孔３１ｃを通してケース１１内に水が浸入することが抑制されるので、血圧測定装置１の防水性を向上できる。
【０１６５】
さらに、血圧測定装置１は、第１撥水部１１１の第１内側撥水部１１１ａにより生じる、孔３１ｃに浸入しようとする水を孔３１ｃ外へ押す作用を有する毛細管現象を利用して、孔３１ｃ内に水が浸入することを抑制される。この為、血圧測定装置１の防水性を向上できる。
【０１６６】
さらに、第１隙間Ｓ１に第２撥水部１１２を設け、第２隙間Ｓ２に第３撥水部１１３を設け、第３隙間Ｓ３に第４撥水部１１４を設け、第４隙間Ｓ４に第５撥水部１１５を設けることで、これら撥水部により生じる、各隙間に浸入しようとする水を隙間外へ押す作用を生じる毛細管現象を利用して、各隙間に水が浸入することを抑制できる。この為、血圧測定装置１の防水性を向上できる。
【０１６７】
さらに、血圧測定装置１は、孔３１ｃの、外郭ケース３１の外周面３１ｆに配置される第２開口端３１ｅが、外郭ケース３１の内周面に配置される第１開口端３１ｄよりも、外郭ケース３１の軸方向で生体側に配置される。この為、使用者が表示部を確認する場合等、外郭ケース３１の軸方向が重力方向と平行となる状態において、第２開口端３１ｅが第１開口端３１ｄよりも下方に配置されるので、孔３１ｃに万が一水が浸入しても、孔３１ｃ内に浸入した水を、重力を利用して第２開口端３１ｅからケース１１外へ出すことが可能となる。
【０１６８】
さらに、血圧測定装置１は、孔３１ｃが、外郭ケース３１の軸方向に対して傾斜する直線状の孔に構成されるので、万が一孔３１ｃ内に水が浸入しても、この水を、第２開口端３１ｅに向かって移動しやすくなる。
さらに、血圧測定装置１は、孔３１ｃの第１開口端３１ｄに、透湿防水フィルタ３６を有している。この為、孔３１ｃ内に水が浸入した場合であっても、透湿防水フィルタ３６によって、水がケース１１内に浸入することを抑制できる。この為、血圧測定装置１の防水性を向上できる。
【０１６９】
さらに、血圧測定装置１は、空気取り入れ用に設けられた孔３１ｃに第１撥水部１１１を設けることで、透湿防水フィルタ３６に求められる、水の通過を規制する性能を、第１撥水部１１１が設けられない場合に比較して低くしても、孔３１ｃを通してケース１１内に水が浸入することを抑制できる。結果、透湿防水フィルタ３６として、血圧測定装置１に対して求められる水の通過を規制する性能を満たしつつ、空気の通過の規制の程度が低い透湿防水フィルタ３６を用いることができる。この為、ポンプ１４の駆動によりケース１１内が負圧となった場合に、孔３１ｃを通してスムーズに空気が流入できるので、ケース１１内が、過度に負圧となることを抑制できる。
【０１７０】
さらに、撥水部９は、一例として、フッ素処理を施すことで設けられる。この為、撥水部９に起因して血圧測定装置１が大型化することがない。さらに、撥水部９はフッ素処理を施すことで設けられるので、血圧測定装置１の部品点数の増加を防止できる。さらに、撥水部９は、部品を要する構成ではないので、血圧測定装置１の設計を変更する必要がない。
【０１７１】
なお、本発明は上述した実施形態に限定されない。第１撥水部１１１は、流路としての孔３１ｃの内面、及び外郭ケース３１の外周面３１ｆの第２開口端３１ｅの周囲の孔３１ｃに連続する部分に設けられた構成が一例として説明されたが、これに限定されない。第１撥水部１１１は、他の例では、孔３１ｃの内面のみに設けられる構成、または、外周面３１ｆの、第２開口端３１ｅに連続する部分のみに設けられる構成であってもよい。
【０１７２】
また、第２撥水部１１２は、流路としての第１隙間Ｓ１の内面にのみ設けられる構成が、一例として説明されたが、これに限定されない。第２撥水部１１２は、他の例では、カーラ５の外面の、第１隙間Ｓ１に連続する部分にもさらに設けられる構成であってもよい。
【０１７３】
また、本実施形態では、撥水部９を設ける、ケース１１、カフ構造体６、及びカーラ５の少なくとも１つにより構成され、ケース１１の内外を連通し、空気が流動可能な流路として、外郭ケース３１に形成された孔３１ｃと、カーラ５、給電部８の給電カバー８ｃ、及び配線部８ａにより構成された第１隙間Ｓ１と、カバー部５ａ及びカフ構造体６により構成された第２隙間Ｓ２、第３隙間Ｓ３、及び第４隙間Ｓ４が一例として説明された。しかしながら、流路は、これらに限定されない。撥水部は、他の例では、風防３２と外郭ケース３１との間の隙間の内面、及び外郭ケース３１の外周面３１ｆの当該隙間に連続する部分の少なくとも一方にもうけられてもよい。撥水部９は、ケース１１内に水が浸入する虞のある流路に設けることが可能である。
【０１７４】
また、上述した例では、血圧測定装置１は、撥水部９により、防水性能を向上している。しかしながら、血圧測定装置１は、流路を構成する部材の外面の、当該流路に連続する部分に設けられる撥水部の周囲に、さらに、親水部を有してもよい。親水部は、当該親水部が設けられる部位に比較して、水の親和性が高い部分である。または、親水部は、所望の親和性を有する部分である。
【０１７５】
親水部を有する血圧測定装置１の変形例について、図２７を用いて説明する。図２７は、血圧測定装置１の外郭ケース３１の孔３１ｃを通る断面図である。図２７に示すように、血圧測定装置１は、さらに、親水部１２０を有する。親水部１２０は、裏カバー３５の外周面３５ｂの、第１外側撥水部１１１ｂに隣接する部分に親水処理を施すことで設けられる。この変形例では、一例として、親水部１２０は、第１外側撥水部１１１ｂの下方に配置される。ここで言う第１外側撥水部１１１ｂの下方とは、血圧測定装置１が、外郭ケース３１の中心線が重力方向に平行となり、かつ、カバー部５ａが風防３２に対して下方に配置される姿勢において、第１外側撥水部１１１ｂの下方となる部分である。または、親水部１２０は、第１外側撥水部１１１ｂを囲む環状に構成されてもよい。
【０１７６】
親水処理は、例えば、プラズマ処理等の表面処理である。または、刷毛や綿棒等を用いて、親水材を塗布する処理である。または、親水部１２０は、当該親水部１２０を設ける部分を、所望の親水性を有する材料で形成することで構成されてもよい。または、親水部１２０は、当該親水部１２０を設ける部分のみを、所望の親水性を有する材料で形成することで構成されてもよい。または、親水部１２０は、当該親水部を設ける部材の全体を、所望の撥水性を有する部材で構成し、当該撥水性を有する部材に対して親水処理を施すことにより、または、所望の親水性を有する部材を設けることにより、構成されてもよい。親水部１２０は、例えば、第１外側撥水部１１１ｂと連続して構成される。
【０１７７】
この変形例では、親水部１２０により、第１外側撥水部１１１ｂにより移動された水や、第１外側撥水部１１１ｂの外側から第１外側撥水部１１１ｂ向かって移動する水を、親水部１２０にとどめることが可能となる。親水部１２０に水をとどめることが可能となることにより、孔３１ｃに水が浸入することを抑制できるので、血圧測定装置１の防水性能を向上できる。
なお、図２７を用いた上述の例では、親水部１２０は、一例として、第１外側撥水部１１１ｂの周囲に設けられる構成が説明された。しかしながら、親水部１２０は、第１外側撥水部１１１ｂの周囲に設けられることに限定されない。
親水部は、孔３１ｃや隙間Ｓ１，Ｓ２，Ｓ３，Ｓ４を一例とする流路が、ケース１１、カフ構造体６、及びカーラ５の少なくとも１つにより構成され、撥水部９が、流路の内面と、流路を構成する、ケース１１、カフ構造体６、及びカーラ５の少なくとも１つの外面の流路に連続する部分と、の少なくとも一方に設けられる構成である場合は、親水部は、流路を構成する、ケース１１、カフ構造体６、及びカーラ５の少なくとも１つの外面に設けられる撥水部９の周囲に設けられればよい。この他の例としては、親水部は、カーラ５のカバー部５ａの生体側の面５ａ１のうち、図２１に示す第３撥水部１１３の第３外側撥水部１１３ｂの領域Ｇに設けられる撥水部の周囲に設けられてもよい。また、他の例では、親水部は、カフ構造体６の一例であるチューブ８３の領域Ｈに設けられる撥水部の周囲に設けられてもよい。また、他の例では、親水部は、図２１に示すように、カーラ５の表面において、第２撥水部１１２の周囲に設けられてもよい。
【０１７８】
また、上述の例では、血圧測定装置１は、ケース１１の内外を連通する流路の内面、及び流路を構成する部材の外面の流路と連続する部分の少なくとも一方に撥水部を設けることで、防水性を向上している。
【０１７９】
しかしながら、撥水部は、流路の内面、及び流路を構成する部材の外面の当該流路と連続する部分の少なくとも一方にのみに設けられることに限定されない。例えば、撥水部９は、ケース１１の内外を連通する流路を構成する隙間以外の隙間に設けられてもよい。この例としては、撥水部９は、ベルト４とカーラ５との間の隙間に設けられてもよい。このような隙間を構成する面に撥水部を設けることにより、当該隙間内に水がたまることを抑制できるので、衛生面の観点から好ましい。
また、上述した例では、カーラ５は、カバー部５ａを有し、外郭ケース３１の生体側を覆う裏蓋を、カバー部５ａ及び裏カバー３５により構成する例を説明したがこれに限定されない。即ち、血圧測定装置１は、裏カバー３５及びカバー部５ａを有さず、外郭ケース３１の生体側を覆う裏蓋を備え、そして、この裏蓋にカーラ５が固定される構成であってもよい。
また、上述した例では、第１開閉弁１６Ａ及び第２開閉弁１６Ｂの２つの開閉弁１６を備える構成を例として説明したがこれに限定されない。例えば、開閉弁１６が４つ設けられている構成であってもよい。
【０１８０】
また例えば、血圧測定装置１の血圧測定時における第１開閉弁１６Ａ及び第２開閉弁１６Ｂの開閉のタイミングは、上述した例に限定されず、適宜設定できる。また、血圧測定装置１は、血圧測定を平カフ７１の加圧過程において測定した圧力で血圧を算出する例を説明したがこれに限定されず、減圧過程で血圧を算出してもよく、また、加圧過程及び減圧過程の双方で血圧を算出してもよい。
【０１８１】
また、上述した例では、背板７２は、複数の溝７２ａを有する構成を説明したがこれに限定されない。例えば、背板７２は、変形しやすさ等を管理するために、複数の溝７２ａの数や深さ等を適宜設定可能であり、また、変形を抑制する部材を含む構成であってもよい。  
また、上述の例では、撥水部９が設けられる血圧測定装置１は、一例として、カーラ５を備える構成が説明された。すなわち、孔３１ｃ、や隙間Ｓ１，Ｓ２，Ｓ３，Ｓ４を一例とする流路は、ケース１１、カフ構造体６、及びカーラ５の少なくとも１つにより構成され、撥水部９は、流路の内面と、流路を構成する、ケース１１、カフ構造体６、及びカーラ５の少なくとも１つの外面の流路に連続する部分と、の少なくとも一方に設けられる構成が説明された。しかしながら、血圧測定装置１は、他の例としてカーラ５を備えない構成であってもよい。
このように、血圧測定装置１が、カーラ５を備えない構成の場合は、流路は、ケース１１、及びカフ構造体６の少なくとも１つにより構成され、ケース１１の内外を連通し、空気が流動可能に構成さればよい。流路は、例えば、ケース１１、及びカフ構造体６の少なくとも１つにより構成された通気孔や、ケース１１、及びカフ構造体６の２つにより構成される隙間である。このように、血圧測定装置１がカーラ５を備えない構成を有する場合は、撥水部９は、流路の内面と、流路を構成する、ケース１１、及びカフ構造体６の少なくとも１つの外面の流路に連続する部分と、の少なくとも一方に設けられればよい。
また、上述の例では、撥水部９が設けられる血圧測定装置１は、一例として、生体の手首２００に装着するウェアラブルデバイスの態様をもつ電子血圧測定装置を用いて説明されたが、これに限定されない。例えば、血圧測定装置は、使用者に常時装着される態様ではなく、血圧を測定するときに上腕に巻き付けて使用される態様をもつ、所謂、上腕式血圧測定装置であってもよい。
使用時に装着される上腕式血圧測定装置は、カーラを備えない構成がある。このように、カーラを備えない構成の上腕式血圧測定装置においても、流路は、ケース１１、及びカフ構造体６の少なくとも１つにより構成され、ケース１１の内外を連通し、空気が流動可能に構成さればよい。流路は、例えば、ケース１１、及びカフ構造体６の少なくとも１つにより構成された通気孔や、ケース１１、及びカフ構造体６の２つにより構成される隙間である。
また、上述の例では、親水部１２０は、孔３１ｃや隙間Ｓ１，Ｓ２，Ｓ３，Ｓ４を一例とする流路が、ケース１１、カフ構造体６、及びカーラ５の少なくとも１つにより構成される場合において、ケース１１、カフ構造体６、及びカーラ５の少なくとも１つの外面に設けられる撥水部の周囲に設けられた。
しかしながら、血圧測定装置１が、上述のようにカーラ５を備えない構成であり、流路が、ケース１１、及びカフ構造体６の少なくとも１つにより構成される場合は、親水部は、流路を構成する、ケース１１及びカフ構造体６の少なくとも１つの外面に設けられる撥水部の周囲に設けられればよい。
【０１８２】
即ち、上述した各実施形態は、あらゆる点において本発明の例示に過ぎない。本発明の範囲を逸脱することなく種々の改良や変形を行うことができることは言うまでもない。つまり、本発明の実施にあたって、実施形態に応じた具体的構成が適宜採用されてもよい。
【符号の説明】
【０１８３】
１…血圧測定装置
３…装置本体
４…ベルト
５…カーラ
５ａ…カバー部
５ｂ…螺子孔
５ｃ…孔部
６…カフ構造体
７…流体回路
７ａ…第１流路
７ｂ…第２流路
７ｃ…第３流路
１１…ケース
１１ａ…取付部
１２…表示部
１３…操作部
１４…ポンプ
１５…流路部
１６…開閉弁
１６Ａ…第１開閉弁
１６Ｂ…第２開閉弁
１７…圧力センサ
１７Ａ…第１圧力センサ
１７Ｂ…第２圧力センサ
１８…電力供給部
１９…振動モータ
２０…制御基板
３１…外郭ケース
３１ａ…ラグ
３１ｂ…バネ棒
３２…風防
３３…基部
３５…裏カバー
３５ａ…ビス
４１…釦
４２…センサ
４３…タッチパネル
５１…基板
５２…加速度センサ
５３…通信部
５４…記憶部
５５…制御部
５６…メインＣＰＵ
５７…サブＣＰＵ
６１…第１ベルト
６１ａ…ベルト部
６１ｂ…尾錠
６１ｃ…第１孔部
６１ｄ…第２孔部
６１ｅ…枠状体
６１ｆ…つく棒
６２…第２ベルト
６２ａ…小孔
６２ｂ…第３孔部
７１…平カフ（カフ）
７１Ｂ…押圧カフ
７２…背板
７２ａ…溝
７３…センシングカフ
７４…甲カフ（カフ）
７６…袋状カバー体
８１、８１Ｂ…空気袋（袋状構造体）
８４…接続部
８６、８６Ａ…シート部材
８６ａ…第１シート部材
８６ｂ…第２シート部材
８６ｂ１…開口
８６ｃ…第３シート部材
８６ｃ１…開口
８６ｄ…第４シート部材
９１…空気袋（袋状構造体）
９２…チューブ
９３…接続部
９６…シート部材
９６ａ…第５シート部材
９６ｂ…第６シート部材
９９…接合片
１０１…空気袋（袋状構造体）
１０３…接続部
１０６、１０６Ａ…シート部材
１０６ａ…第７シート部材
１０６ｂ…第８シート部材
１０６ｂ１…開口
１０６ｃ…第９シート部材
１０６ｃ１…開口
１０６ｄ…第１０シート部材
１０６ｄ１…開口
１０６ｅ…第１１シート部材
１０６ｅ１…開口
１０６ｆ…第１２シート部材
１０６ｆ１…開口
１０６ｇ…第１３シート部材
１０６ｇ１…開口
１０６ｈ…第１４シート部材
１０６ｈ１…開口
１０６ｉ…第１５シート部材
１０６ｉ１…開口
１０６ｊ…第１６シート部材
１０６ｊ１…開口
１０６ｋ…第１７シート部材
１０６ｋ１…開口
１０６ｌ…第１８シート部材
１１１…第１撥水部
１１１ａ…第１内側撥水部
１１１ｂ…第１外側撥水部
１１２…第２撥水部
１１３…第３撥水部
１１３ａ…第３内側撥水部
１１３ｂ…第３外側撥水部
１１４…第４撥水部
１１４ａ…第４内側撥水部
１１４ｂ…第４外側撥水部
１１５…第５撥水部
１１５ａ…第５内側撥水部
１１５ｂ…第５外側撥水部
２００…手首
２１０…動脈
【図１】
2020092886.tif 000003
【図２】
2020092886.tif 000004
【図３】
2020092886.tif 000005
【図４】
2020092886.tif 000006
【図５】
2020092886.tif 000007
【図６】
2020092886.tif 000008
【図７】
2020092886.tif 000009
【図８】
2020092886.tif 000010
【図９】
2020092886.tif 000011
【図１０】
2020092886.tif 000012
【図１１】
2020092886.tif 000013
【図１２】
2020092886.tif 000014
【図１３】
2020092886.tif 000015
【図１４】
2020092886.tif 000016
【図１５】
2020092886.tif 000017
【図１６】
2020092886.tif 000018
【図１７】
2020092886.tif 000019
【図１８】
2020092886.tif 000020
【図１９】
2020092886.tif 000021
【図２０】
2020092886.tif 000022
【図２１】
2020092886.tif 000023
【図２２】
2020092886.tif 000024
【図２３】
2020092886.tif 000025
【図２４】
2020092886.tif 000026
【図２５】
2020092886.tif 000027
【図２６】
2020092886.tif 000028
【図２７】
2020092886.tif 000029